(57)【特許請求の範囲】
【請求項１】
工場内の既設の支柱と、
前記支柱の鉛直方向第１の位置において下部が前記支柱に対して回動自在に取り付けられているブームと、
前記第１の位置よりも鉛直方向上方である鉛直方向第２の位置で前記支柱と連結されているとともに、前記第１の位置と前記第２の位置との間の鉛直方向第３の位置で前記ブームの前記上部と連結されている、ブーム回動用部材と、
前記ブームの前記上部に吊着された重量物上下動用部材と、
を備える重量物の移動ユニットであって、
前記ブームは、ヒンジ部材を介して、前記支柱に取り付けられており、
前記ブーム回動用部材は、前記支柱に取り付けられたビームクランプに連結され、
前記重量物上下動用部材の鉛直方向下端に重量物把持部材が取り付けられており、前記重量物把持部材は２つの把持部を含み、前記把持部が対向配置されていることを特徴とする重量物の移動ユニット。
【請求項２】
請求項１に記載の重量物の移動ユニットと、
前記重量物の移動ユニットの近傍に設置するための架台であって、前記重量物上下動部材の鉛直方向下方に前記重量物の格納スペースを有する架台と、
前記架台に支持され、前記格納スペースの出口直上位置で、前記重量物の前記支柱からの距離を変更するための、重量物水平動用部材と、
を備える、重量物の交換ユニット。
【請求項３】
請求項１に記載の重量物の移動ユニットを用いた重量物移動方法であって、
前記重量物上下動用部材により、前記重量物を鉛直方向上方に移動させる工程と、
前記ブーム回動用部材により前記ブームを前記支柱側から遠ざけることにより、前記重量物の水平方向位置を変化させる工程と、
前記重量物上下動用部材により前記重量物を鉛直方向下方に移動させる工程と、
を含む、重量物の移動方法。
【請求項４】
請求項２に記載の重量物の交換ユニットを用いた重量物移動方法であって、
前記重量物上下動用部材により、既存の重量物を鉛直方向上方に移動させる工程と、
前記ブーム回動用部材により前記ブームを前記支柱側から遠ざけることにより、前記既存の重量物の水平方向位置を変化させる工程と、
前記重量物上下動用部材により前記既存の重量物を鉛直方向下方に移動させて、前記既存の重量物を前記格納スペースに配置する工程と、
前記重量物水平動用部材により、予め搬入しておいた新規の重量物を前記支柱側に移動させて前記新規の重量物を前記格納スペースの直上に配置する工程と、
前記重量物上下動用部材により、新規の重量物を鉛直方向上方に移動させる工程と、
前記ブーム回動用部材により前記ブームを前記支柱側に接近させることにより、前記新規の重量物の水平方向位置を変化させる工程と、
前記重量物上下動用部材により前記新規の重量物を鉛直方向下方に移動させて、前記新規の重量物を所定位置に配置する工程と、
前記格納スペースに配置された前記既存の重量物に対して、支柱側とは反対側に存在する架台の構成部材を撤去して、前記既存の重量物を前記支柱とは反対側に移動可能とするとともに、前記既存の重量物を前記重量物水平動用部材上に載置する工程と、
前記重量物水平動用部材を前記支柱から遠ざけることにより、前記既存の重量物を水平方向に移動させる工程と、
を含む、重量物の交換方法。
【発明の詳細な説明】
【技術分野】
【０００１】
本発明は、工場内での重量物の移動ユニット及び交換ユニットに関し、特に、レッカー車のような大型車両を用いないで重量物の移動又は交換が可能な、当該移動ユニット及び交換ユニットに関する。また、本発明は、これらのユニットを用いた重量物の移動方法及び交換方法に関する。
【背景技術】
【０００２】
工場内では、重量物（例えば、クレーンガータ、レール材、及び鉄骨部材、並びに溶接機）が定期的に移動又は交換され、特に、工場のメンテナンス及び工場内の機材等のメンテナンスには重量物の移動や交換が欠かせない。
【０００３】
例えば、工場内に設定されているクレーンガータの移動、交換については、工場外から新たなクレーンガータを工場内に事前に移動しておき、現存のクレーンガータを取り外す一方、新たなクレーンガータを取り付けることが行われる。
【０００４】
このようなクレーンガータの移動、交換においては、主にレッカー車等の大型車両を用いることが一般的であるが、レッカー車等を用いる場合は、当該車両の移動スペースを工場内において予め確保しておく必要がある。
【０００５】
このため、従来のクレーンガータの交換技術では、大型車両の移動スペースを確保するにあたり、生産ラインの撤去や機材の移動等を余儀なくされるという欠点があった。また、当該技術では、車両の移動スペースが確保されない場合に、工場内でのクレーンガータの移動可能領域が限られてしまうという欠点もあった。
【０００６】
特に、生産ラインの撤去や機材の移動を行う場合には、工場内で本来実行すべき操業に何らかの影響が生ずることがあり、工場における製造効率が低減するおそれがある、といった問題があった。
【０００７】
そこで、例えば、天井クレーンレールの交換作業に関し、トラッククレーンの進入路を確保することなく、短時間にしかも安全にレールの昇降・移動を可能とした、天井クレーン用吊荷移動装置が開示されている（特許文献１）。また、工場内に広い場所を確保せずに、ガーターの、撤去及び据え付けを効率的に可能としクレーンガータ交換技術が開示されている（特許文献２）。
【先行技術文献】
【特許文献】
【０００８】
【特許文献１】特許第３３２４８７８号公報
【特許文献２】特開２０１０−１５００３９号公報
【発明の概要】
【発明が解決しようとする課題】
【０００９】
しかしながら、特許文献１に開示された装置は、天井クレーンレール上を移動するものであるため、当該レールに対して重量制限を考慮せねばならないことから、クレーンガータを吊ることは実質的に不可能である。
【００１０】
また、特許文献２に開示されたクレーンガータ交換装置は、アップダウン昇降式ジャッキ用足場が大掛かりなものであることから、この足場の構築が煩雑であるため、よりコンパクトなクレーンガータ交換装置の開発が要請されている。
【００１１】
本発明は、上記事情に鑑みてなされたものであって、工場での製造効率低減を防止すべく生産ラインの撤去や機材の移動を不要とすることを前提とし、軽量化かつコンパクト化を実現した、重量物の移動ユニット及び重量物の交換ユニットを提供することを目的とする。また、本発明は、これらのユニットを用いた重量物の移動方法及び重量物の交換方法を提供することも目的とする。
【課題を解決するための手段】
【００１２】
本発明者らは、使用に際し工場内の生産ラインの撤去や機材の移動を要することなく、かつ、軽量化かつコンパクト化を実現した、重量物の移動技術及び重量物の交換技術について、鋭意検討を重ねた。
【００１３】
その結果、本発明者らは、まず、レッカー車等の大型車両を用いずに重量物を移動するにあたり、工場内に設備として既に存在する重量物の移動運搬機器（例えば、クラブトロリ付の天井クレーン）を用いて、既に重量物が設定されている所定位置の近傍位置まで予め搬入し、上記近傍位置から上記所定位置までの比較的近距離の移動を、特別なユニットを用いて行うことが効率的である、との知見を得た。
【００１４】
また、本発明者らは、このような重量物の移動態様をさらに応用して、クレーンガータを交換するにあたり、最初に既存のクレーンガータをその設置された位置の近傍位置まで移動して待機させ、次いで新規のクレーンガータを所定位置に設置し、最後に既存のクレーンガータを、上記移動運搬機器を用いて搬出することが効率的である、との知見を得た。以上の知見に基づき、本発明者らは発明を完成した。その要旨は以下のとおりである。
【００１５】
[１]支柱と、上記支柱の鉛直方向第１の位置において下部が上記支柱に対して回動自在に取り付けられているブームと、上記第１の位置よりも鉛直方向上方である鉛直方向第２の位置で上記支柱と連結されているとともに、上記第１の位置と上記第２の位置との間の鉛直方向第３の位置で上記ブームの上記上部と連結されている、ブーム回動用部材と、上記ブームの上記上部に吊着された重量物上下動用部材と、を備える、重量物の移動ユニット。
【００１６】
[２] 上記[１]に記載の重量物の移動ユニットと、上記重量物の移動ユニットの近傍に設置するための架台であって、上記重量物上下動部材の鉛直方向下方に上記重量物の格納スペースを有する架台と、上記架台に支持され、上記格納スペースの出口直上位置で、上記重量物の上記支柱からの距離を変更するための、重量物水平動用部材と、を備える、重量物の交換ユニット。
【００１７】
[３] 上記[１]に記載の重量物の移動ユニットを用いた重量物移動方法であって、上記重量物上下動用部材により、上記重量物を鉛直方向上方に移動させる工程と、上記ブーム回動用部材により上記ブームを上記支柱側から遠ざけることにより、上記重量物の水平方向位置を変化させる工程と、上記重量物上下動用部材により上記重量物を鉛直方向下方に移動させる工程と、を含む、重量物の移動方法。
【００１８】
[４] 上記[２]に記載の重量物の交換ユニットを用いた重量物移動方法であって、上記重量物上下動用部材により、既存の重量物を鉛直方向上方に移動させる工程と、上記ブーム回動用部材により上記ブームを上記支柱側から遠ざけることにより、上記既存の重量物の水平方向位置を変化させる工程と、上記重量物上下動用部材により上記既存の重量物を鉛直方向下方に移動させて、上記既存の重量物を上記格納スペースに配置する工程と、上記重量物水平動用部材により、予め搬入しておいた新規の重量物を上記支柱側に移動させて上記新規の重量物を上記格納スペースの直上に配置する工程と、上記重量物上下動用部材により、上記新規の重量物を鉛直方向上方に移動させる工程と、上記ブーム回動用部材により上記ブームを上記支柱側に接近させることにより、上記新規の重量物の水平方向位置を変化させる工程と、上記重量物上下動用部材により上記新規の重量物を鉛直方向下方に移動させて、上記新規の重量物を所定位置に配置する工程と、上記格納スペースに配置された上記既存の重量物に対して、支柱側とは反対側に存在する架台の構成部材を撤去して、上記既存の重量物を上記支柱とは反対側に移動可能とするとともに、前記既存の重量物を前記重量物水平動用部材上に載置する工程と、上記重量物水平動用部材を上記支柱から遠ざけることにより、上記既存の重量物を水平方向に移動させる工程と、を含む、重量物の交換方法。
【発明の効果】
【００１９】
本発明に係る重量部の移動技術（移動ユニット及び移動方法）は、極めて簡易な構成要素（既設支柱、ブーム、ブーム回動用部材、及び重量物上下動用部材）のみからなるユニットを用いて、重量物の移動を、重量物の設置からその近傍位置までの比較的狭小領域内にて行うものである。従って、本発明に係る重量物の移動技術によれば、使用に際し工場内の生産ラインの撤去や機材の移動を要することなく、かつ、使用装置を軽量化かつコンパクト化することができ、その実施についても短工期で簡易に行うことができる。特に、本発明に係る重量部の移動技術（移動ユニット及び移動方法）によれば、工場内の既設柱を使用することにより、移動ユニットの組み立て工期を短縮することができ、移動ユニットに関する施工性を向上することができる。
【００２０】
また、本発明に係る重量部の交換技術（交換ユニット及び交換方法）は、上記の重量物の移動技術（移動ユニット及び移動方法）を包含しつつ、極めて簡易な構成要素（架台及び重量物水平動用部材）を備えるユニットを用いて、重量物の交換を、重量物の設置からその近傍位置までの比較的狭小領域内にて行うものである。従って、本発明に係る重量物の交換技術によれば、使用に際し工場内の生産ラインの撤去や機材の移動を要することなく、かつ、使用装置を軽量化かつコンパクト化することができ、その実施についても短工期で簡易に行うことができる。特に、本発明に係る重量部の交換技術（交換ユニット及び交換方法）によれば、上述した移動ユニットに関する施工性の向上により、交換ユニットの組み立て工期も短縮することができ、交換ユニットに関する施工性を向上することができる。従って、本発明によれば、交換ユニットの組み立て、重量部の交換、及び交換ユニットの解体に至るまでの作業性を、従来に比べて格段に向上させることができる。
【図面の簡単な説明】
【００２１】
【図１】図１は、本発明に係る重量物の移動ユニットを示す側面図であり、（ａ）は支柱に比較的近い位置にある重量物（クレーンガータ）を支柱から離すように移動する例を示し、（ｂ）は支柱に比較的遠い位置にある重量物を支柱に近づけるように移動する例を示す。
【図２】図２は、本発明に係る重量物の交換ユニットを示す側面図であり、（ａ）は新規の重量物（クレーンガータ）の搬入例を示し、（ｂ）は既存の重量物の格納スペースへの移動例を示し、（ｃ）は新規の重量物の設置例を示し、（ｄ）は既存の重量物の搬出例を示す。
【発明を実施するための形態】
【００２２】
以下、図面を参照して、本発明の実施の形態（以下、単に「実施形態」と称する場合がある）を詳細に説明する。これらの実施形態は、本発明を限定するものではない。また、上記実施形態の構成要素には、当業者が置換可能かつ容易なもの、或いは実質的に同一のものが含まれる。さらに、上記実施形態に含まれる各種形態は、当業者が自明の範囲内で任意に組み合わせることができる。
【００２３】
＜重量物の移動ユニット及び重量物の移動方法＞
[重量物の移動ユニット]
図１は、本発明に係る重量物の移動ユニット（以下、単に「移動ユニット」と称する場合がある）を示す側面図であり、この例における重量物はクレーンガータである。また、同図（ａ）は支柱に比較的近い位置にあるクレーンガータを支柱から離すように移動させる例を示し、同図（ｂ）は支柱に比較的遠い位置にある重量物を支柱に近づけるように移動させる例を示す。
【００２４】
図１（ａ）に示すように、本実施形態の移動ユニット１０は、支柱１２と、ブーム１４と、ブーム回動用部材１６と、重量物上下動用部材１８とを備える。なお、図１中、符号Ｘで示される物体は重量物としてのクレーンガータである。
【００２５】
図１（ａ）に示す支柱１２は、工場の建物の一部として既に存在する支柱（既設柱）である。既設柱を用いることで、新たな支柱の搬入や建て方が不要となり、レッカー車等の大型車両が必要ないため、工場で本来製造すべき製品の製造効率低減が防止される他、移動ユニット１０の施工の短工期化が図られる。但し、支柱１２として、工場の建物の一部として既に存在する支柱を用いるに際し、本実施形態で想定しているクレーンガータＸの移動領域が工場内の局所的な領域に限られることを考慮して、クレーンガータＸの設置箇所近傍に存在する支柱を用いることが肝要である。
【００２６】
ブーム１４については、その形状は特に限定されないが、例えば、図１（ａ）に示すように、下部１４ａと、下部１４ａに対して支柱１２から遠ざかる方向に屈曲する上部１４ｂとを含むタイプのものを使用することができる。このような屈曲状のブーム１４を用いることで、部材長さが同じ直線状のブームと比較し、吊荷の可領域動（支柱１２に垂直な方向における可領域動）を拡大できるため、クレーンガータＸを鉛直方向下方に移動させる際に他構造物との干渉防止に効果がある。また、ブーム１４の下部１４ａは、支柱１２の鉛直方向第１の位置Ｈ１において支柱１２に対し、ヒンジ部材２０ａを介して回動自在に取り付けられている。ブーム１４の例としては、鉄骨をその一方端側でＶ字形に延在させた部材が挙げられる。
【００２７】
ブーム回動用部材１６は、ブーム１４の下部１４ａでの上記回動を制御するための部材である。ブーム回動用部材１６は、第１の位置Ｈ１よりも鉛直方向上方である第２の位置Ｈ２で、連結用部材２０ｂを介して支柱１２と連結されているとともに、第１の位置Ｈ１と第２の位置Ｈ２との間の鉛直方向第３の位置Ｈ３で、連結用部材２０ｃを介してブーム１４の上部１４ｂと連結されている。ブーム回動用部材１６の例としては、チェーンブロックが挙げられる。
【００２８】
重量物上下動用部材１８は、クレーンガータＸを鉛直方向に移動するための部材である。重量物上下動用部材１８は、連結用部材２０ｄを介してブーム１４の上部１４ｂに吊着されており、その鉛直方向下端で重量物把持部材２２を介してクレーンガータＸが把持される。重量物上下動用部材１８の例としては、チェーンブロックが挙げられ、重量物把持部材２２の例としては、ネジ式鋼材用吊クランプが挙げられる。
【００２９】
なお、図１（ｂ）に示す移動ユニット３０は、図１（ａ）に示す移動ユニットの変形例であり、移動ユニット１０の構成要素と同じ構成要素には、同じ符号を付している。移動ユニット３０は、移動ユニット１０に対して、連結用部材２０ｂをビームクランプ２０ｂ´としたこと以外は、移動ユニット１０と全く同じ構成要素からなる。
【００３０】
[重量物の移動方法]
本発明に係る重量物の移動方法（以下、単に「移動方法」と称する場合がある）は、上述した本発明に係る移動ユニットを使用した重量物（例えば、クレーンガータ）の移動方法である。
【００３１】
図１（ａ）に示すように、クレーンガータＸが支柱１２に対して比較的近い位置にある場合は、ブーム１４の上部１４ｂに取り付けられた連結用部材２０ｄ、２０ｄ´のうち、水平方向において支柱１２により近い連結用部材２０ｄから重量物上下動用部材１８を吊着する。そして、重量物上下動用部材１８の鉛直方向下端から、重量物把持部材２２をさらに吊着し、重量物把持部材２２によってクレーンガータＸを把持する（図１（ａ）に示す状態Ａ）。
【００３２】
この状態Ａから、重量物上下動用部材１８により、クレーンガータＸを鉛直方向上方に移動させる。次いでブーム回動用部材１６によりブーム１４の上部１４ｂを支柱側から遠ざけることにより、クレーンガータＸの水平方向位置を変化させる。そして、最後に、重量物上下動用部材１８によりクレーンガータＸを鉛直方向下方に移動させ、図１（ａ）に示す状態Ａ´とする。
【００３３】
これに対し、図１（ｂ）に示すように、クレーンガータＸが支柱１２に対して比較的遠い位置にある場合は、ブーム１４の上部１４ｂに取り付けられた連結用部材２０ｄ、２０ｄ´のうち、水平方向において支柱１２からより遠い連結用部材２０ｄ´から重量物上下動用部材１８を吊着する。そして、重量物上下動用部材１８の鉛直方向下端から、重量物把持部材２２をさらに吊着し、重量物把持部材２２によってクレーンガータＸを把持する（図１（ｂ）に示す状態Ｂ）。
【００３４】
この状態Ｂから、重量物上下動用部材１８により、クレーンガータＸを鉛直方向上方に移動させる。次いでブーム回動用部材１６によりブーム１４の上部１４ｂを支柱側に近づけることにより、クレーンガータＸの水平方向位置を変化させる。そして、最後に、重量物上下動用部材１８によりクレーンガータＸを鉛直方向下方に移動させ、図１（ｂ）に示す状態Ｂ´とする。
【００３５】
[重量物の移動ユニット及び重量物の移動方法、に関する作用効果]
以上に示す構成の移動ユニット１０、３０は、以上に示す方法に従い用いることで、以下のような作用効果を奏するものである。
【００３６】
即ち、図１（ａ）に示す移動ユニット１０及び図１（ｂ）に示す移動ユニット３０は、いずれも、極めて簡易な構成要素（支柱１２、ブーム１４、ブーム回動用部材１６、及び重量物上下動用部材１８）のみから構成されている。また、移動ユニット１０、３０を用いたクレーンガータＸの移動は、その設置からその近傍位置までの比較的狭小領域内にて行うものである。
【００３７】
特に、このような極めて簡易な構成要素によって、クレーンガータＸを吊ることができるのは、支柱１２、ブーム１４、及びブーム回動用部材１６の３つの部材により、トラス機構が形成されるためである。このトラスト機構により、ブーム１４の上部１４ｂから重量物上下動用部材１８を介して吊り下げたクレーンガータＸの重量を、ブーム１４の下部１４ａ側とブーム回動用部材１６側とに分散して支持することができる。
【００３８】
従って、本実施形態の重量物の移動技術（移動ユニット及び移動方法）によれば、使用に際し工場内の生産ラインの撤去や機材の移動を要することなく、かつ、使用装置（移動ユニット１０、３０）を軽量化かつコンパクト化することができ、その実施についても短工期で簡易に行うことができる。特に、本実施形態の重量部の移動技術（移動ユニット及び移動方法）によれば、工場内の既設柱を使用することにより、移動ユニットの組み立て工期を短縮することができ、移動ユニットに関する施工性を向上することができる。
【００３９】
＜重量物の交換ユニット及び重量物の交換方法＞
[重量物の交換ユニット]
図２は、本発明に係る重量物の交換ユニット（以下、単に「交換ユニット」と称する場合がある）を示す側面図であり、この例における重量物はクレーンガータである。また、同図（ａ）は新規の重量物（クレーンガータ）の搬入例を示し、（ｂ）は既存の重量物の格納スペースへの移動例を示し、（ｃ）は新規の重量物の設置例を示し、（ｄ）は既存の重量物の搬出例を示す。
【００４０】
図２（ａ）に示すように、本実施形態の交換ユニット４０は、移動ユニット１０と、架台４２と、重量物水平動用部材４４ａ、４４ｂ（同図では部材４４ａのみを示す）とを備える。なお、図２中、符号Ｘ１１〜Ｘ１７で示される物体は新規のクレーンガータであり、符号Ｘ２１〜Ｘ２７で示される物体は工場内の所定場所に設定されている既存のクレーンガータである。
【００４１】
図２（ａ）に示す例では、交換ユニット４０は、図１（ａ）に示す移動ユニット１０を備えているが、図１（ｂ）に示す移動ユニット３０を備えることもできる。移動ユニット１０、３０については上述したとおりである。
【００４２】
架台４２は、移動ユニット１０の近傍に設置するための部材であり、規則的に並べて連結組立された複数の鉄骨からなる。図２に示す例では４段の鉄骨が規則的に整列されている。架台４２は、図１に示す重量物上下動部材１８の鉛直方向下方にクレーンガータの格納スペースＳを有する。この格納スペースＳは図２に示す例では鉄骨１段分の高さに相当する深さを有している。
【００４３】
重量物水平動用部材４４ａ、４４ｂは、クレーンガータを支柱１２に対して接近させるように、或いは遠ざけるようにするための部材である。重量物水平動用部材４４ａ、４４ｂは、架台４２の少なくとも一部の鉄骨により支持され、格納スペースＳの出口直上位置で、クレーンガータの支柱１２からの距離を変更する。重量物水平動用部材４４ａ、４４ｂの例としては、大引ジャッキが挙げられる。
【００４４】
なお、本実施形態の交換ユニットにおける直接の構成要素ではないが、図２（ａ）には、  天井クレーン本体４６ａ及び天井クレーンクラブトロリ４６ｂが示されている。天井クレーンクラブトロリ４６ｂは、後述するように、新規のクレーンガータＸ１１を所定位置に搬入するための装置であり、工場における既存の装置である。
【００４５】
[重量物の交換方法]
本発明に係る重量物の交換方法（以下、単に「交換方法」と称する場合がある）は、上述した本発明に係る交換ユニットを使用した重量物（例えば、クレーンガータ）の交換方法である。
【００４６】
本実施形態の交換方法を実施するにあたり、図２（ａ）に示すように、天井クレーンクラブトロリ４６ｂにより新規のクレーンガータＸ１１を工場内の遠方から搬入して、架台４２の所定位置に載置された重量物水平動用部材４４ａ上で、クレーンガータＸ１２を待機させる。以下、本実施形態の交換方法を段階ごとに説明する。
【００４７】
（既存のクレーンガータを格納スペースに配置する段階（図２（ｂ）））
図１に示す重量物上下動用部材１８により、既存のクレーンガータＸ２２を鉛直方向上方に移動させ、次いで図１に示すブーム回動用部材１６によりブーム１６を支柱１２側から遠ざけることにより、既存のクレーンガータＸ２３の水平方向位置を変化させる。さらに、図１に示す重量物上下動用部材１８により既存のクレーンガータＸ２３を鉛直方向下方に移動させて、既存のクレーンガータＸ２４を格納スペースＳに配置する。このとき、クレーンガータＸ２４は重量物水平動用部材４４ｂ上に待機させる。
【００４８】
（新規のクレーンガータを所定位置に配置する段階（図２（ｃ））
次に、重量物水平動用部材４４ａにより、予め搬入しておいた新規のクレーンガータＸ１４を支柱１２側に移動させて、クレーンガータＸ１５を格納スペースＳ（既存のクレーンガータＸ２５が格納されている）の直上に配置する。次いで、図１に示す重量物上下動用部材１８により、新規のクレーンガータＸ１５を鉛直方向上方に移動させる。さらに、図１に示すブーム回動用部材１６により図１に示すブーム１４を支柱１２側に接近させることにより、新規のクレーンガータＸ１６の水平方向位置を変化させる。そして、図１に示す重量物上下動用部材１８により新規のクレーンガータＸ１６を鉛直方向下方に移動させて、新規のクレーンガータＸ１７を所定位置に配置する。
【００４９】
（既存のクレーンガータを所定位置に移動させる段階（図２（ｄ）））
さらに、格納スペースＳに配置された既存のクレーンガータＸ２６に対して、支柱１２側とは反対側に存在する架台４２の構成部材（鉄骨）を撤去して、既存のクレーンガータＸ２６を支柱１２とは反対側に移動可能とする。次いで、既存のクレーンガータＸ２６が載置された重量物水平動用部材４４ｂ上を支柱１２から遠ざけることにより、既存のクレーンガータＸ２６を水平方向に移動させ、クレーンガータＸ２７を所定位置に配置する。
【００５０】
なお、図２（ｄ）に示すように所定位置に配置されたクレーンガータＸ２７は、図２（ａ）に示す天井クレーンクラブトロリ４６ｂにより、工場内の遠方に搬出される。
【００５１】
[重量物の交換ユニット及び重量物の交換方法、に関する作用効果]
以上に示す構成の交換ユニット４０は、以上に示す方法に従い用いることで、以下のような作用効果を奏するものである。
【００５２】
即ち、図２に示す交換ユニット４０は、極めて簡易な構成要素（図１に示す支柱１２、ブーム１４、ブーム回動用部材１６、及び重量物上下動用部材１８、並びに図２に示す架台４２、及び重量物水平動用部材４４ａ、４４ｂ）のみから構成されている。また、交換ユニット４０を用いたクレーンガータの交換は、その設置からその近傍位置までの比較的狭小領域内にて行うものであり、事前の搬入及び事後の搬出については既存の天井クレーン等により行うものである。
【００５３】
特に、このような極めて簡易な構成要素によって、クレーンガータを簡易に交換できるのは、複数の鉄骨を組み合わせて架台４２を組み立てる際に、既存のクレーンガータを一時的に格納しておく格納スペースＳを区画形成しているからである。これにより、この格納スペースＳを利用して既存のクレーンガータの搬出と、新規のクレーンガータの設置と、を効率よく行うことができる。また、このような簡易な交換は、格納スペースＳからの既存のクレーンガータの搬出時には、架台４２を構成する鉄骨の一部を撤去することで当該クレーンガータを水平方向に移動可能としているからである。これにより、移動ユニット１０、３０を用いて格納スペースＳから当該クレーンガータを脱出させることが不要となり、既存のクレーンガータの搬出を効率よく行うことができる。
【００５４】
従って、本実施形態の重量物の交換技術（交換ユニット及び交換方法）によれば、使用に際し工場内の生産ラインの撤去や機材の移動を要することなく、かつ、使用装置（交換ユニット４０）を軽量化かつコンパクト化することができ、その実施についても短工期で簡易に行うことができる。特に、本実施形態の重量部の交換技術（交換ユニット及び交換方法）によれば、上述した移動ユニットに関する施工性の向上により、交換ユニットの組み立て工期も短縮することができ、交換ユニットに関する施工性を向上することができる。従って、本実施形態によれば、交換ユニットの組み立て、重量部の交換、及び交換ユニットの解体に至るまでの作業性を、従来に比べて格段に向上させることができる。
【符号の説明】
【００５５】
１０、３０    移動ユニット
１２    支柱
１４    ブーム
１４ａ    下部
１４ｂ    上部
１６    ブーム回動用部材
１８    重量物上下動用部材
２０ａ    ヒンジ部材
２０ｂ、２０ｃ、２０ｄ、２０ｄ´    連結用部材
２０ｂ´    鋼材用クランプ（ビームクランプ）
２２    重量物把持部材
４０    交換ユニット
４２    架台
４４ａ、４４ｂ    重量物水平動用部材
４６ａ    天井クレーン本体
４６ｂ    天井クレーンクラブトロリ
Ｈ１    第１の位置
Ｈ２    第２の位置
Ｈ３    第３の位置
Ｓ    格納スペース
Ｘ    クレーンガータ
Ｘ１１、Ｘ１２、Ｘ１３、Ｘ１４、Ｘ１５、Ｘ１６、Ｘ１７
Ｘ２１、Ｘ２２、Ｘ２３、Ｘ２４、Ｘ２５、Ｘ２６、Ｘ２７
【図１】
0006726992.tif 000002
【図２】
0006726992.tif 000003